(57)【要約】【課題】縫製に要する時間の分布をより正確に把握する【解決手段】ＣＰＵ２６は、メモリ２４内の各種の処理プログラムを実行し、所定の縫製の所要時間を計測し、計測するごとに各所要時間をメモリ２４に記憶する所要時間計測手段と、計測された所要時間が縫製の所要時間を所定の期間範囲ごとに分けてなる複数の時間区分の内いずれに属するかを判定すると共にメモリ２４内に設定された各時間区分ごとに個体数を記憶するカウンタのカウント値を１加算する判定手段と、縫製の所要時間を分割した各時間区分の個体数を記憶する所要時間分布データに基づいて時間区分対前記個体数のグラフを生成して表示部２１に表示させる表示制御手段と、メモリ２４に記憶された各所要時間から複数の所要時間の平均値を算出する平均所要時間算出手段と、所要時間の各時間区分に属する前記個体数の総数を算出する総個体数算出手段としての処理を実行する。【選択図】図５
2007061383.tif 000002
【特許請求の範囲】
【請求項１】
所定の縫製の所要時間を計測する所要時間計測手段と、
前記所要時間が計測される毎に当該所要時間を記憶する記憶手段と、
前記計測された所要時間が、縫製の所要時間を所定の期間範囲ごとに分けてなる複数の時間区分の内いずれに属するかを判定する判定手段と、
各時間区分に該当する個体数を記憶する個体数記憶手段と、
前記記憶された各時間区分の個体数に基づいて時間区分で区分された所要時間対前記個体数のグラフを生成して表示手段に表示させる表示制御手段とを備えることを特徴とするミシンの生産管理装置。
【請求項２】
前記所要時間は、所定単位の縫製ロットごとに識別可能に前記記憶手段に記憶され、
前記表示制御手段は、前記表示手段に対して、前記所定単位の縫製ロットごとに前記グラフを表示させる制御を行うことを特徴とする請求項１記載のミシンの生産管理装置。
【請求項３】
前記所要時間計測手段は、前記所定の縫製における縫製開始又は縫製終了ごとの時刻を記録する時刻記録手段を有し、
前記時刻記録手段により記録された隣接する時刻間の時間差を算出することにより、前記所要時間を計測することを特徴とする請求項１又は請求項２記載のミシンの生産管理装置。
【請求項４】
前記所定の期間範囲の幅を設定する期間範囲設定手段を有することを特徴とする請求項１から請求項３の何れか一項記載のミシンの生産管理装置。
【請求項５】
前記所要時間の平均値を算出する平均所要時間算出手段を有し、前記表示制御手段は、前記算出された平均所要時間に対応する数値を表示することを特徴とする請求項１から請求項４の何れか一項記載のミシンの生産管理装置。
【請求項６】
前記各時間区分に属する前記個体数の総数を算出する総個体数算出手段を有し、前記表示制御手段は、前記算出された総個体数に対応する数値を前記表示手段に表示する制御を行うことを特徴とする請求項１から請求項５の何れか一項記載のミシンの生産管理装置。
【請求項７】
前記平均所要時間算出手段が前記所要時間の平均値を前記所要時間の何れの時間区間から何れの時間区間までの範囲で求めるかを設定する平均算出区間設定手段を備えることを特徴とする請求項５に記載のミシンの生産管理装置。
【発明の詳細な説明】
【技術分野】
【０００１】
本発明は、ミシンの生産管理装置に係り、特に、縫製工場で作業者が縫い上げる被縫製物の枚数などの生産管理データを計測するためのミシンの生産管理装置に関する。
【背景技術】
【０００２】
従来から、所定の被縫製物の生産を効率的に行うための生産管理システムが開発されており、例えば、１日の作業時間を複数に区分した作業時間帯を設定し、各作業時間帯中における被縫製物１枚当りの縫製平均時間並びに１日中の被縫製物１枚当りの縫製平均時間を計測して表示する生産高表示装置が知られている（例えば、特許文献１参照。）。
この生産高表示装置によって、管理者等は、被縫製物１枚の縫製にかかる縫製時間を把握することが可能になる。
【特許文献１】特開昭６４−８６９９４号公報
【発明の開示】
【発明が解決しようとする課題】
【０００３】
しかしながら、上記特許文献１の場合、管理者等は、被縫製物１枚当たりの縫製時間を把握することはできるが、かかる縫製時間は、大まかに設定した所定時間内における縫製枚数から単純に１枚あたりの縫製に要する平均所要時間を算出するだけであったため、例えば、針交換、ボビン交換及び縫製ミス等、縫製にかかる所要時間として計時すべきではない作業に要する時間を含んだ平均値が算出されていた。
このため、個々の縫製に要する正確な平均所要時間即ちピッチタイムを把握することができず、縫製ごとのピッチタイムのバラつきや、オペレータごとのピッチタイムのバラつき等を解析することができず、必ずしも生産管理上十分な情報を表示しているとはいえないという問題があった。
【０００４】
本発明の目的は、縫製に要する時間の分布をより正確に把握することができるミシンの生産管理装置を提供することである。
【課題を解決するための手段】
【０００５】
以上の課題を解決するため、請求項１記載の発明は、所定の縫製の所要時間を計測する所要時間計測手段と、前記所要時間が計測される毎に当該所要時間を記憶する記憶手段と、前記計測された所要時間が、縫製の所要時間を所定の期間範囲ごとに分けてなる複数の時間区分の内いずれに属するかを判定する判定手段と、各時間区分に該当する個体数を記憶する個体数記憶手段と、前記記憶された各時間区分の個体数に基づいて時間区分で区分された所要時間対前記個体数のグラフを生成して表示手段に表示させる表示制御手段とを備えることを特徴とするミシンの生産管理装置である。
【０００６】
請求項２記載の発明は、請求項１記載のミシンの生産管理装置において、前記所要時間は、所定の縫製ロットごとに識別可能に前記記憶手段に記憶され、前記表示制御手段は、前記表示手段に対して、前記所定の縫製ロットごとに前記グラフを表示させる制御を行うことを特徴とする。
【０００７】
請求項３記載の発明は、請求項１又は請求項２記載のミシンの生産管理装置において、前記所要時間計測手段は、前記所定の縫製における縫製開始又は縫製終了ごとの時刻を記録する時刻記録手段を有し、前記時刻記録手段により記録された隣接する時刻間の時間差を算出することにより、前記所要時間を計測することを特徴とする。
【０００８】
請求項４記載の発明は、請求項１から請求項３の何れか一項記載のミシンの生産管理装置において、前記所定の期間範囲の幅を設定する期間範囲設定手段を有することを特徴とする。
【０００９】
請求項５記載の発明は、請求項１から請求項４の何れか一項記載のミシンの生産管理装置において、前記所要時間の平均値を算出する平均所要時間算出手段を有し、前記表示制御手段は、前記算出された平均所要時間に対応する数値を表示することを特徴とする。
【００１０】
請求項６記載の発明は、請求項１から請求項５の何れか一項記載のミシンの生産管理装置において、前記各時間区分に属する前記個体数の総数を算出する総個体数算出手段を有し、前記表示制御手段は、前記算出された総個体数に対応する数値を前記表示手段に表示する制御を行うことを特徴とする。
【００１１】
請求項７記載の発明は、請求項５記載のミシンの生産管理装置において、前記平均所要時間算出手段が前記所要時間の平均値を前記所要時間の何れの時間区間から何れの時間区間までの範囲で求めるかを設定する平均算出区間設定手段を備えることを特徴とする。
【発明の効果】
【００１２】
請求項１記載の発明によれば、所要時間計測手段により所定の縫製の所要時間が計測され、当該計測された所要時間が記憶手段によって随時記憶される。また、前記計測された所要時間が、所定の期間範囲ごとに分けてなる複数の時間区分の内いずれに属するかが判定手段によって判定され、所定の縫製の個体数が、該当する各時間区分ごとに個体数記憶手段によって記憶される。したがって、所定の縫製が行われるごとに、当該所定の縫製の所要時間と、それぞれの所定の縫製を一単位とする個体数とを、該当する所定の期間範囲ごとに区分された複数の区分に分配して記憶することができる。
また、表示制御手段により、個体数記憶手段に記憶された各時間区分の個体数に基づき時間区分で区分された所要時間対個体数のグラフが生成され、そのグラフを表示手段に表示することができる。
これにより、それぞれの所定の縫製に要する時間（所要時間）のバラつきを視覚により容易に把握することが可能となるため、縫製に関する生産に要する所要時間の分布を容易に把握することができる。また、所定の縫製ごとに所要時間の単位時間対個体数の分布をグラフ表示することにより、所要時間の異常値等を容易に判断することが可能となり、正確な所要時間（ピッチタイム）を把握することができる。従って、例えば、より正確な標準時間の算出が可能となる。また、かかる機能を複数のミシンに搭載することで、個々のオペレータの所要時間のバラつき、くせ、問題点等を把握することができ、効率的な生産管理を実現することが可能となる。
なお、「個体数」とは、一枚でもよいし、予め定められた複数枚を一単位としてもよい。
また、「所要時間の異常値」とは、例えば、針交換やボビン交換及び縫製ミス等によるロスタイムを含むことで、通常時における所定の縫製の所要時間よりも長時間要した場合などがあげられる。
また、「標準時間」とは、上記所定の縫製の所要時間即ちピッチタイムに基づき、予め定められた枚数の被縫製物を縫製するのに要する時間や、当該縫製の終了時刻等を予測して表示する場合などに用いられる時間をいう。
【００１３】
請求項２記載の発明によれば、請求項１記載の発明と同様の効果を得ることができる他、特に、ミシンの生産管理装置は、所定の縫製ロットごとに時間区分対個体数の分布グラフを表示することが可能となる。従って、それぞれの所定の縫製ロット内における各所定の縫製の所要時間の分布をグラフ表示することができ、視覚を通じて、縫製ロットごとに、より容易かつ正確な分析および生産管理を行うことができる。
ここで、「縫製ロット」とは、生産管理の対象となる縫製の一つのまとまりのことをいう。なお、各ロットごとの被縫製物の枚数は一定とは限らず、任意となる。
【００１４】
請求項３記載の発明によれば、請求項１又は請求項２記載の発明と同様の効果を得ることができる他、特に、所要時間計測手段は、時刻記録手段によって所定の縫製における縫製開始又は縫製終了ごとに時刻が記録され、そのうち隣接する時刻間の時間差を算出することで所定の縫製の所要時間が算出される。したがって、所定の縫製の所要時間に加えて当該所定の縫製が行われた時刻を記憶することもできる。これにより、生産管理を行う場合に、例えば、一日のうち、各時間帯の所要時間を分析することも可能となり、作業工程の見直しなどを行うことで生産性の向上を図ることができる。
【００１５】
請求項４記載の発明によれば、請求項１から請求項３の何れか一項記載の発明と同様の効果を得ることができる他、特に、ミシンの生産管理装置は、期間範囲設定手段を有することにより所要時間を区分する所定の期間範囲の幅を自在に変更することができる。従って、所望する所定の期間範囲の幅ごとに区分された単位時間対個体数のグラフを表示することができ、それぞれの所定の縫製の所要時間を所望の時間幅ごとに分布して表示することができる。
【００１６】
請求項５記載の発明によれば、請求項１から請求項４の何れか一項記載の発明と同様の効果を得ることができる他、特に、ミシンの生産管理装置は、平均所要時間算出手段により、記憶手段が記憶する各所要時間から、所定の縫製に要する所要時間の平均値を算出することが可能となる。また、表示制御手段により、その平均値に対応する数値を表示手段に表示する制御が行われることにより、生産管理を行う上で、所定の縫製に要する時間の平均値を視覚により容易に把握することが可能となる。
【００１７】
請求項６記載の発明によれば、請求項１から請求項５の何れか一項記載の発明と同様の効果を得ることができる他、特に、ミシンの生産管理装置は、総個体数算出手段により算出された各時間区分に属する所要時間の個体数の総数を表示手段に表示することができる。したがって、表示手段上において、所要時間の個体数の総数と複数の単位時間ごとに区分された上述した時間区分で区分された所要時間対個体数の分布グラフとを視覚により容易に把握することが可能となり、生産管理における生産効率の分析などを容易に行うことが可能となる。
【００１８】
請求項７記載の発明によれば、請求項５記載の発明と同様の効果を得ることができる他、特に、ミシンの生産管理装置は、平均算出区間設定手段を備えることにより、何れの時間区間から何れの時間区間までの範囲で所要時間の平均値を求めるかを自在に設定することが可能となる。これにより、例えば、異常値を含むと判断される時間区分を除くと共に正常であると判断される範囲のみを選択的に設定することが可能となり、より正確な平均所要時間を算出することができる。従って、より正確な情報に基づく生産管理を行うことができるため、生産性を向上することが可能となる。
【発明を実施するための最良の形態】
【００１９】
以下、本発明の実施の形態を図１から図６に基づいて説明する。
本発明に係るミシンの生産管理装置は、ミシンを備える縫製システム装置にミシンの一部の機能として組み込まれている。
【００２０】
（ミシンの全体構成）
本実施形態たるミシンの生産管理装置としての縫製システム装置１００は、図１に示すように、ミシン１０と、その操作パネル２０とを有する。
【００２１】
ミシン１０は、図１に示すように、電源スイッチ４のＯＮにより給電されるミシンモータ５と、ミシンモータ５の回転駆動がベルト６を介して伝達される図示しないミシン主軸と、そのミシン主軸の回転駆動により上下動する針棒２と、針棒２に交換可能に備えられるミシン針３と、針棒２（ミシン針３）の下方において被縫製物を布送りする布送り機構８と、ミシン１０を操作するためのペダル７と、ミシンの各部を制御するミシン制御装置１１（図３参照）が内部に収容されている制御ボックス９等を備えている。なお、ミシン１０には、所定の指令信号の送受信を行う操作パネル２０が設けられている。
【００２２】
さらに、ミシン１０は、図３に示すように、ペダル７の前踏みによりＯＮとなるスタートスイッチ１２と、ミシン１０の各部の状態を検出する各種センサー１４と、ミシン１０の各部を動作させる各種アクチュエータ１６と、ミシン１０の動作処理等に関する各種データが記憶されるメモリ１５と、ペダル７の後踏みにより図示しない糸切り機構を起動させる糸切りスイッチ１７等を備えている。
【００２３】
そして、ミシン１０は、ペダル７の操作に基づきスタートスイッチ１２がオンになることに伴いミシンモータ５が回転駆動して、針棒２（ミシン針３）が上下動する運針が開始されるとともに、布送り機構８が所定の布送りピッチで被縫製物を布送りすることにより縫製が実行される。なお、ミシン１０は、各種センサー１４からの信号やメモリ１５に記憶された縫製データ及び操作パネル２０で設定されたデータに基づき、ミシンモータ５や布送り機構８、各種アクチュエータ１６等が制御されて縫製が行われるようになっている。
また、縫製終了時には、ペダル７の操作に基づき糸切りスイッチ１７がオンとなることで図示しない糸切り機構が糸切りを行うとともに、ミシン１０（制御装置１１）は信号線１０ａを介して操作パネル２０に糸切り信号を送信するようになっている。
【００２４】
（操作パネル）
操作パネル２０は、図２、図３に示すように、液晶表示を行う表示手段としての表示部２１と、表示部２１に重ね合わされてなる透明のタッチパネル式の各種操作ボタン２２と、操作パネル２０の電源のＯＮ−ＯＦＦスイッチであるスイッチ３０と、各種データを記憶する記憶手段としてのメモリ２４と、計時処理を行うタイマー２３と、操作パネルにおける各種制御処理を行うＣＰＵ２６等を備えている。
また、操作パネル２０には、メモリーカード３１などの記録媒体が着脱可能になっており、操作パネル２０は、そのメモリーカード３１に記録された情報やデータを読み出したり、各種情報やデータをメモリーカード３１に書き込んだりすることが可能になっている。
【００２５】
ＣＰＵ２６は、メモリ２４（後述する）に格納された各種のプログラムを実行することで、後述する各種の処理及び操作パネル２０の表示制御を行う。
【００２６】
メモリ２４には、操作パネル２０の表示部２１に表示される表示画面情報が格納され記憶されているほか、特に、本実施形態におけるメモリ２４は、後述する所要時間計測手段としてのＣＰＵ２６が取り込んだ糸切り信号が発生した時刻（糸切り信号発生時刻）を、縫製履歴データとして記憶し格納する時刻記録手段としての機能を備えており、本発明の記憶手段として機能する。
また、メモリ２４には、ＣＰＵ２６が実行する各種の処理を行うためのプログラムが格納されているほか、処理対象となる各種のデータが記憶されるようになっている。
【００２７】
メモリーカード３１は、例えば、不揮発性のいわゆるフラッシュメモリーであり、既成の表示画面情報や、オペレータが操作パネル２０を介して設定した縫製データその他の各種のデータが記憶されている。また、前述のメモリ２４に記憶された縫製履歴データをメモリーカード３１に転送して外部に取り出すこともできる。
【００２８】
そして、操作パネル２０は、各種操作ボタン２２が操作されたことに基づく各種操作信号に応じて様々な演算や制御処理を実行し、当該操作パネル２０において演算処理された各種データは、信号線１０ｂを介してミシン１０に送信されミシン１０の縫製制御等に利用される。
【００２９】
ここで、本実施形態における操作パネル２０についてさらに詳しく説明する。
ＣＰＵ２６は、メモリ２４内の各種の処理プログラムを実行することにより、
所定の縫製の所要時間を計測し、計測するごとに各所要時間を記憶手段としてのメモリ２４に記憶する所要時間計測手段と、計測された所要時間が、縫製の所要時間を所定の期間範囲ごとに分けてなる複数の時間区分の内いずれに属するかを判定すると共に、個体数記憶手段としてのメモリ２４内に設定された各時間区分ごとに個体数を記憶するカウンタのカウント値を１加算する判定手段と、縫製の所要時間を分割した各時間区分の個体数を記憶する所要時間分布データに基づいて時間区分対前記個体数のグラフを生成して表示手段としての表示部２１に表示させる表示制御手段と、メモリ２４に記憶された各所要時間から複数の所要時間の平均値を算出する平均所要時間算出手段と、各時間区分に属する前記個体数の総数を算出する総個体数算出手段としての処理を実行する。
上記各処理について詳説する。
【００３０】
（所要時間計測手段としての処理）
所要時間計測手段としての処理では、ＣＰＵ２６は、所定の縫製の所要時間（ピッチタイム）を計測する。ここでいう、「縫製」とは、被縫製物である布地がミシンの針板上にセットされてから除去されるまでに行われる一工程の縫製を示す意味である。また、「所定の縫製」とは予め設定された工程数を示す意味である。所定の縫製の枚数は、操作ボタン２２により設定可能である。なお、本実施形態では、「所定の縫製」として一工程の場合を例に説明する。また、「所定の縫製の所要時間」とは、一工程の縫製が一回の糸切りで終了する場合の所要の時間を示す。
【００３１】
所要時間計測手段としての処理において、ＣＰＵ２６は、前回の縫製における糸切りにおいて糸切りスイッチ１７がＯＮとなった時を計測の開始とし、今回の縫製における糸切りにおいて糸切りスイッチ１７がＯＮとなった時を計測の終了とする。
前述したように、ＣＰＵ２６には、タイマー２３が併設されている。このタイマー２３は、年月日を含む時刻を計る時計である。
つまり、ＣＰＵ２６は、糸切りスイッチ１７の入力が今回の縫製の終了であって同時に次回の縫製の開始と見なし、順次糸切りスイッチ１７が入力されるたびにタイマー２３を参照してそれぞれの時刻をメモリ２４に記憶する。そして、連続する時刻と時刻との差から経過時間を求め、所要時間としてメモリ２３に記録する。また、随時、糸切りにより時刻が記憶されると、順次経過時間が求められ、それぞれの所要時間を順番に蓄積して記録する。以下、この所要時間を示すデータの集合をピッチタイムデータとする。
【００３２】
（判定手段としての処理）
判定手段としての処理では、ＣＰＵ２６は、予めメモリ２４内に、所要時間を一定の期間範囲ごとに区分する複数の時間区分を設けると共に、各時間区分ごとにカウンタを設定する。そして、所要時間計測手段としての処理において、所要時間が計測されると、各時間区分のいずれに属するかを大小比較により判定し、該当する時間区分のカウンタを１カウントアップする処理を行う。
【００３３】
また、各時間区分の期間範囲の幅は、操作ボタン２２の中で単位時間設定手段として機能する設定ボタンからの入力により設定変更することが可能である。
図４は、各時間区分の期間範囲の数値入力画面である。画面中央の数字ボタンと時間単位ボタンとがタッチ操作されると、当該操作入力を表示部２１の表面の操作ボタン２２からＣＰＵ２６が検出し、入力値に応じた期間範囲で各区分の幅を更新する処理を行う。
さらに、ＣＰＵ２６は、更新された新たな期間範囲で時間区分ごとにカウンタを設定すると共に、メモリ２４内のピッチタイムデータを参照して全ての所要時間についていずれの時間区分に属するかを判定すると共に新たな各時間区分に設定されたカウンタのカウント値を更新する。
【００３４】
（表示制御手段としての処理）
図５は、表示部２１における所要時間分布データに基づく時間区分対前記個体数のグラフの表示画面の表示例を示す。
ここで、「個体数」とは、一工程でもよいし、予め定められた複数工程数或いは複数の縫製枚数を一単位としてもよい。
表示制御手段としての処理では、ＣＰＵ２６は、横軸を時間区分で区分された所要時間とし、縦軸を個体数とする棒グラフの画像を生成し、表示部２１で表示させる動作制御を実行する。
即ち、ＣＰＵ２６は、メモリ２４内に記憶された各時間区分のカウンタを参照し、各時間区分の時間幅に比例した幅であって各時間区分ごとに記憶されたカウント値に比例した高さで複数の棒グラフの画像を生成し、表示部２１に表示させる。
【００３５】
（平均所要時間算出手段としての処理）
平均所要時間算出手段としての処理では、ＣＰＵ２６は、メモリ２４内のピッチタイムデータから記憶された複数の所要時間の平均時間を算出する。
さらに、ＣＰＵ２６は、算出したその平均時間（平均ピッチタイム）を表示部２１で表示させる動作制御を実行する。なお、平均時間（平均ピッチタイム）の表示は、前述したグラフ表示画面（図５参照）において、グラフと共に当該グラフの下方にピッチタイム度数として表示される。
【００３６】
また、図５のグラフ表示画面には、所要時間の平均を何れの時間区間から何れの時間区間までの範囲で求めるかを設定する上限設定スイッチ２２１と下限設定スイッチ２２２とが表示される。即ち、上限設定スイッチ２２１と下限設定スイッチ２２２に対して入力操作が行われると、操作ボタン２２がこれを検出し、所要時間の平均値を求める下限の時間区分と上限の時間区分とをＣＰＵ２６が認識し、当該下限の時間区分から上限の時間区分に属する所要時間をメモリ２４内のピッチタイムデータから読み出すと共に、それらの値を平均する。
つまりこの場合、操作ボタン２２は、平均算出区間設定手段として機能する。
また、このように、下限区間と上限区間と設定されると、ＣＰＵ２６は、グラフ表示画面において表示されるグラフの横軸に、設定された範囲を示す矢印表示を行うように表示部２１の動作制御を行う。
【００３７】
（総個体数算出手段としての処理）
総個体数算出手段としての処理では、ＣＰＵ２６は、メモリ２４内の各時間区分のカウンタのカウント値を合計する処理を行い所要時間の各時間区分に属する個体数の総数を算出する。
さらに、ＣＰＵ２６は、算出したその個体数の総数を表示部２１で表示させる動作制御を実行する。なお、個体数の総数の表示は、前述したグラフ表示画面（図５参照）において、グラフと共に前述した平均ピッチタイム表示の下方に表示される。
【００３８】
また、上記総個体数算出手段としての処理でも、個体数の合計を何れの時間区間から何れの時間区間までの範囲で求めるかを設定することができる。
即ち、前述した所要時間の平均を何れの時間区間から何れの時間区間までの範囲で求めるかを設定する上限設定スイッチ２２１と下限設定スイッチ２２２とにより時間区分の範囲が設定されると、これと同じ範囲について個体数の合計も算出される。
つまり、平均の所要時間を求める区分範囲の設定と個体数の合計総数を求める区分範囲の設定とはリンクしている。
なお、個体数の合計総数を求める区分範囲の設定は別個独立に行うことができるように、設定スイッチ２２１、２２２とは別のスイッチを設けても良い。
【００３９】
（ミシンの生産管理装置としての処理）
図６は操作パネル２０のＣＰＵ２６が行うミシンの生産管理装置としての処理を示すフローチャートである。
かかる処理では、表示部２１で、例えば初期設定画面からグラフ表示画面への切り替えが行われた状態を前提としている。
【００４０】
まず、ＣＰＵ２６は、ペダル７の前踏みによるスタートスイッチ１２の入力信号が検出されたか否かの判断を行う（ステップＳ１）。入力信号が検出されない場合（ステップＳ１；ＮＯ）、スタートスイッチ１２の入力信号が検出されるまで繰り返し判断が行われる。入力信号が検出された場合（ステップＳ２；ＹＥＳ）、ミシン１０の起動と共にミシン制御装置のＣＰＵ１１から起動信号を受信する（ステップＳ２）。
次に、ＣＰＵ２６は、ペダル７の後踏みによる糸切りスイッチ１７の入力信号つまり糸切り信号が検出されたか否かの判断を行う（ステップＳ３）。糸切り信号が検出されない場合（ステップＳ３；ＮＯ）、繰り返し検出が行われる。一方、糸切りスイッチがＯＮとなり糸切りが行われた場合（ステップＳ３；ＹＥＳ）、ＣＰＵ２６は、ミシン制御装置のＣＰＵ１１から糸切り信号を受信する（ステップＳ４）。
糸切り信号の受信により、ＣＰＵ２６は、所要時間計測手段としての処理に従ってタイマー２３を参照し（ステップＳ５）、現在時刻をメモリ２４に記憶する（ステップＳ６）。
さらに、ＣＰＵ２６は、縫製開始時刻と終了時刻との差から縫製作業の所要時間を算出し（ステップＳ７）メモリ２４に記憶する。
そして、ＣＰＵ２６は、判定手段としての処理に従い、算出した所要時間によって当該縫製の所要時間が該当する区分を判定し、該当する区分のカウント値を１カウントアップする処理を行う（ステップＳ８）。
該当区分のカウントアップ処理が終了すると、ＣＰＵ２６は、該当する区分のグラフの高さ表示（個体数表示）を増加分に応じて更新して表示部２１に再表示する処理を行う（ステップＳ９）。また、それと同時に平均所要時間算出手段に従って各縫製の平均所要時間を算出すると共に、総個体数算出手段としての処理に従って個体数の総数を算出し、それぞれ表示部２１に再表示する処理を実行する。
そして、ＣＰＵ２６は、上述した一連の処理を実行し終わると、処理ステップＳ１に戻って再びペダル７の前踏み信号が検出されるか否かの判断を行う。
また、ステップＳ１からＳ９の処理の間で、設定スイッチ２２１，２２２の入力が行われたときには、ステップＳ１からＳ９までの処理に関わらず、入力された上限区分から下限区分の範囲内で再度、平均所要時間、総個体数を算出し、表示部２１に再表示する処理を行う。
また、ステップＳ１からＳ９の処理の間で、各時間区分の期間範囲の幅が、操作ボタン２２により設定変更された場合には、ステップＳ１からＳ９の処理に関わらず、メモリ２４内のピッチタイムデータを読み出すと共にＳ７からＳ９間での処理を再実行し、区分幅が更新されたグラフを表示部２１に表示する制御を行う。
【００４１】
以上のように、本実施形態たるミシンの生産管理装置１００によれば、一工程の縫製を行う場合の所要時間をその都度計測して記憶することができるほか、当該計測された所要時間を、所定の期間範囲ごとに分けてなる複数の時間区分の内、該当する時間区分ごとに分配し、各時間区分ごとの時間区分対個体数のグラフを表示部２１に表示（ヒストグラム表示）することができる。
これにより、それぞれの所定の縫製に要する時間（所要時間）のバラつきを視覚により容易に把握することが可能となり、縫製に関する生産に要する所要時間の分布を容易に把握することができる。また、所定の縫製ごとに所要時間の時間区分対個体数の分布をグラフ表示することにより、所要時間の異常値等を容易に判断することが可能となり、正確な所要時間（ピッチタイム）を把握することができる。従って、例えば、より正確な標準時間の算出が可能となる。また、かかる機能を複数のミシンに搭載することで、個々のオペレータの所要時間のバラつき、くせ、問題点等を把握することができ、効率的な生産管理を実現することが可能となる。
ここで、「所要時間の異常値」とは、例えば、針交換やボビン交換及び縫製ミス等によるロスタイムを含むことで、通常時における所定の縫製の所要時間よりも長時間要した場合などがあげられる。
また、「標準時間」とは、上記所定の縫製の所要時間即ちピッチタイムに基づき、予め定められた枚数の被縫製物を縫製するのに要する時間や、当該縫製の終了時刻等を予測して表示する場合などに用いられる時間をいう。
【００４２】
また、時刻記録手段としてタイマー２３を備えていることにより、所定の縫製の所要時間に加えて当該所定の縫製が行われた時刻を記憶することもできる。これにより、生産管理を行う場合に、例えば、一日のうち、各時間帯の所要時間を分析することが可能となり、作業工程の見直しなどを行うことで生産性の向上を図ることができる。
また、ミシンの生産管理装置１００は、単位時間設定手段を有することにより所要時間を区分する所定の期間範囲の幅を自在に変更することができる。従って、所望する所定の期間範囲の幅ごとに時間区分された時間区分対個体数のグラフを表示することができ、それぞれの所定の縫製の所要時間を所望の時間幅ごとに分布して表示することができる。
また、ＣＰＵ２６が平均所要時間算出手段として機能することにより、所定の縫製に要する所要時間の平均値を算出することができる。さらに当該平均値に対応する数値を表示部２１に表示することができるため、生産管理を行う上で、所定の縫製に要する時間の平均値を視覚により容易に把握することが可能となる。
また、ミシンの生産管理装置１００は、各時間区分に属する所要時間の個体数の総数を表示部２１に表示することができる。したがって、所要時間の個体数の総数と複数の単位時間ごとに時間区分された上述した時間区分対個体数の分布グラフとを視覚により容易に把握することが可能となり、生産管理における生産効率の分析などを容易に行うことが可能となる。
また、平均算出区間設定手段を備えることにより、何れの時間区間から何れの時間区間までの範囲で所要時間の平均値を求めるかを自在に設定することが可能となる。これにより、例えば、異常値を含むと判断される時間区分を除くと共に正常であると判断される範囲のみを選択的に設定することが可能となり、より正確な平均所要時間を算出することができる。従って、より正確な情報に基づく生産管理を行うことができるため、生産性を向上することが可能となる。
【００４３】
（その他）
なお、所要時間計測手段としての処理では、必ずしも糸切り信号で縫製の終了時刻を判断しなくとも良い。すなわち、例えば、所定の縫製の終了ごとにミシン１０の作業者が終了を入力するボタンを設け、当該ボタンが操作されたことを検出することで、ＣＰＵ２６が時刻計測を行うこととしても良い。
また、ミシンの生産管理装置１００は、縫製時に予め所定の縫製ロットを特定する情報を入力しても良い。その入力時には、当該所定の縫製ロット情報と所要時間を関連づけてピッチタイムデータに含ませて記憶する。そして、グラフ表示を共通するロットの縫製における所要時間から生成し表示しても良い。このようにすれば、所定の縫製ロットごとに時間区分で区分された所要時間対個体数の分布グラフを表示することが可能となる。従って、それぞれの所定単位の縫製ロット内における各縫製の所要時間の分布をグラフ表示することができ、視覚を通じて、縫製ロットごとに、より容易かつ正確な分析および生産管理を行うことができる。
ここで、「縫製ロット」とは、生産管理の対象となる縫製の一つのまとまりをいう。なお、各ロットごとの被縫製物の枚数は一定とは限らず、任意の枚数を設定することができる。
また、その他、具体的な細部構造等についても適宜に変更可能であることは言うまでもない。
【図面の簡単な説明】
【００４４】
【図１】本実施形態に係るミシンの生産管理装置を示す正面図である。
【図２】本実施形態における操作パネルの正面図である。
【図３】本実施形態に係るミシンの生産管理装置の要部構成を示すブロック図である。
【図４】本実施形態における期間範囲設定画面を示す説明図である。
【図５】操作パネルの表示部に表示されるグラフ画面の一例を示す説明図である。
【図６】時間区分対個体数のグラフを表示する処理を示すフローチャートである。
【符号の説明】
【００４５】
２      針棒
３      ミシン針
４      電源スイッチ
５      ミシンモータ
６      ベルト
７      ペダル
８      布送り機構
９      制御ボックス
１０    ミシン
１１    ミシン制御装置
１２    スタートスイッチ
１４    各種センサー
１５    メモリ
１６    各種アクチュエータ
１７    糸切りスイッチ
２０    操作パネル
２１    表示部（表示手段）
２２    操作ボタン（設定値入力手段）
２２１  上限設定スイッチ（期間範囲設定手段）
２２２  下限設定スイッチ（期間範囲設定手段）
２３    タイマー
２４    メモリ（記憶手段）
２５    表示制御回路（表示制御手段）
２６    ＣＰＵ（検出手段、計測手段、時間設定手段、表示手段）
３０    スイッチ
３１    メモリーカード
１００  縫製システム装置（ミシンの生産管理装置）
【図１】
2007061383.tif 000003
【図２】
2007061383.tif 000004
【図３】
2007061383.tif 000005
【図４】
2007061383.tif 000006
【図５】
2007061383.tif 000007
【図６】
2007061383.tif 000008